(57)【要約】  【課題】  ガラスパネルとガラスフレームとからガラスパネル体が構成されるガラス間仕切装置において、ガラスフレームを目立たせることなく、意匠性を良好にすることができるようにする。  【解決手段】  ガラスパネル１４が、内側ガラス１４ａと外側ガラス１４ｂとからなり、内側ガラス１４ａの外縁が外側ガラス１４ｂの外縁よりも外側に配置されて段差部分１４ｃが形成された合わせガラスであり、ガラスフレーム１６の内周縁が段差部分１４ｃに近接して配置され、外側ガラス１４ｂの外面がガラスフレーム１６の外面と同一面にまたはガラスフレーム１６の外面よりも外側に配置される。【選択図】  図３
2006177037.tif 000002
【特許請求の範囲】
【請求項１】
ガラスパネル（１４）とガラスパネル（１４）の外周に取り付けられるガラスフレーム（１６）とからガラスパネル体（１２）が構成され、ガラスパネル体（１２）が支柱（１８）に連結されて支持されてなるガラス間仕切装置において、
ガラスパネル（１４）が、内側ガラス（１４ａ）と外側ガラス（１４ｂ）とからなり、内側ガラス（１４ａ）の外縁が外側ガラス（１４ｂ）の外縁よりも外側に配置されて段差部分（１４ｃ）が形成された合わせガラスであり、
ガラスフレーム（１６）の内周縁が前記段差部分（１４ｃ）に近接して配置され、外側ガラス（１４ｂ）の外面が該ガラスフレーム（１６）の外面と同一面にまたは該ガラスフレーム（１６）の外面よりも外側に配置されることを特徴とするガラス間仕切装置。
【請求項２】
ガラスフレーム（１６）と支柱（１８）とのいずれか一方には開口（１８ａ）が形成され、他方には該開口に係止されるフック（２４）が取り付けられることを特徴とする請求項１記載のガラス間仕切装置。
【請求項３】
ガラスフレーム（１６）は、内側に位置する内側片部（１６ｂ）と、外側に位置する外側片部（１６ｃ）とを備えており、内側片部（１６ｂ）が前記内側ガラス（１４ａ）の内側に配置される一方で、外側片部（１６ｃ）は前記内側ガラス（１４ａ）の外側に配置されると共にその内周縁が前記段差部分（１４ｃ）に近接して配置され、内側片部（１６ｂ）と外側片部（１６ｃ）のそれぞれのパネル幅方向またはパネル上下方向の長さは、外側片部（１６ｃ）の方が短いことを特徴とする請求項１または２記載のガラス間仕切装置。
【請求項４】
前記内側片部（１６ｂ）に開口またはフック（２４）が設けられて、該開口またはフック（２４）が、支柱（１８）に設けられたフックまたは開口（１８ａ）に係止されることを特徴とする請求項３記載のガラス間仕切装置。
【発明の詳細な説明】
【技術分野】
【０００１】
本発明は、ガラスパネルとガラスフレームとからガラスパネル体が構成されるガラス間仕切装置に関する。
【背景技術】
【０００２】
従来、この種のガラス間仕切装置としては、ガラスパネルを支柱の溝部内に挿入したり、支柱の表面にガラスパネル外周部を直接接着したりすることで、支柱にガラスパネルを連結している。
【０００３】
この場合、メンテナンス時にガラスの取り外しが困難であり、接着してしまった場合には支柱に対して着脱が不可能になり、さらには地震等により支柱が歪むと、ガラスが破損してしまう恐れがある。
【０００４】
支柱に対してガラスパネルを着脱することができるように、フックにて支柱に対してガラスパネルを取り付けるようにしたものとして、特許文献１に記載されたものがある。これは、ガラスパネルの縁部に、該ガラスパネルの縁部を覆う縁部保護材を取り付けており、縁部保護材の裏面における支柱と対向する箇所に、ガラスパネルとの間に隙間を形成する膨出部を形成し、膨出部に取付孔を穿設して、取付孔に係止具の取付部を係合することにより、係止具を縁部保護材に取り付けて、さらに係止具の係止部を支柱の係止孔に係合している。
【０００５】
【特許文献１】特許第３５５１４０９号公報
【発明の開示】
【発明が解決しようとする課題】
【０００６】
しかしながら、上記特許文献１の構成では、ガラスパネルの側縁部に、該側縁部を覆うようにして縁部保護材が取り付けられるため、ガラスパネルと縁部保護材との間に形成される段差が露出し、そして縁部保護材がガラスパネルの外面よりも前方に配置されるために、意匠性が低下してしまうという課題がある。
【０００７】
本発明はかかる課題に鑑みなされたもので、ガラスパネルとガラスフレームとからガラスパネル体が構成されるものにおいて、ガラスフレームを目立たせることなく、意匠性を良好にすることができるガラス間仕切装置を提供することをその目的とする。
【課題を解決するための手段】
【０００８】
前述した目的を達成するために、請求項１記載の発明は、ガラスパネルとガラスパネルの外周に取り付けられるガラスフレームとからガラスパネル体が構成され、ガラスパネル体が支柱に連結されて支持されてなるガラス間仕切装置において、
ガラスパネルが、内側ガラスと外側ガラスとからなり、内側ガラスの外縁が外側ガラスの外縁よりも外側に配置されて段差部分が形成された合わせガラスであり、
ガラスフレームの内周縁が前記段差部分に近接して配置され、外側ガラスの外面が該ガラスフレームの外面と同一面にまたは該ガラスフレームの外面よりも外側に配置されることを特徴とする。
【０００９】
請求項２記載の発明は、請求項１記載のものにおいて、ガラスフレームと支柱とのいずれか一方には開口が形成され、他方には該開口に係止されるフックが取り付けられることを特徴とする。
【００１０】
請求項３記載の発明は、請求項１または２記載のガラスフレームが、内側に位置する内側片部と、外側に位置する外側片部とを備えており、内側片部が前記内側ガラスの内側に配置される一方で、外側片部は前記内側ガラスの外側に配置されると共にその内周縁が前記段差部分に近接して配置され、内側片部と外側片部のそれぞれのパネル幅方向またはパネル上下方向の長さは、外側片部の方が短いことを特徴とする。
【００１１】
請求項４記載の発明は、請求項３記載の前記内側片部に開口またはフックが設けられて、該開口またはフックが、支柱に設けられたフックまたは開口に係止されることを特徴とする。
【発明の効果】
【００１２】
本発明によれば、ガラスパネルを合わせガラスとし、外側ガラスの外面をガラスフレームと同一面に配置するようにすれば、該ガラスフレームがガラスパネルよりも外側に突出しない状態にすることができ、外側ガラスの外面を該ガラスフレームの外面よりも外側に配置するようにすれば、ガラスパネルがガラスフレームよりも外側に突出した状態にすることができるため、ガラスフレームが目立たずに、意匠性を良好にすることができる。特に、このガラス間仕切装置をつなげて連続的に配置した場合にはガラスパネルの連続性が出るために、意匠性をさらに向上させることができる。
【００１３】
また、ガラスパネルが合わせガラスとなっているために、パネルの強度を向上させることもでき、地震等においてもガラスパネルの破損を防ぐことができる。
【００１４】
請求項２記載の発明によれば、フックと開口との係止によりガラスパネル体を支柱に対して取り付けることにより、ガラスパネル体の着脱が容易となり、よって、ガラスパネル体の清掃、またはガラス間仕切装置内の清掃またはガラス間仕切装置内の例えばブラインドといった別部品のメンテナンス等を簡単に行なうことができるようになる。また、フックと開口との係止によりガラスパネル体を支柱に対して取り付けることにより、地震等で支柱が歪んだ時であっても、フックによってその歪みを吸収することができる。
【００１５】
請求項３記載の発明によれば、ガラスフレームの内側片部と外側片部とによってガラスパネルの外周縁を確実に保持することができると共に、外側片部の長さを内側片部よりも短くすることによって、最外側に配置される外側ガラスの露出面積を大きくとることができ、ガラスフレームの外側片部が目立たないようにすることができる。従って、ガラス間仕切装置を連続的に配置した場合に、隣接する外側ガラスの間の部分（目地部）を小さくすることができる。
【００１６】
請求項４記載の発明によれば、内側片部に開口またはフックが設けられるために、外側に支柱への取付構造が露出することなく、見栄えを良好にすることができる。
【発明を実施するための最良の形態】
【００１７】
以下、図面を用いて本発明の実施の形態を説明する。
【００１８】
図１は本発明の実施形態にかかるガラス間仕切装置の正面図、図２は縦断面図、図３は横断面図である。
【００１９】
図において、ガラス間仕切装置１０は、ガラスパネル１４とガラスパネル１４の外周に取り付けられるガラスフレーム１６とからガラスパネル体１２が構成され、ガラスパネル体１２が支柱１８に連結されて支持されてなる。
【００２０】
この例では、１つの支柱１８が、その前後において、それぞれガラスパネル体１２の１つの側縁部を支持するようになっており、さらに、図示のように複数のガラスパネル体１２が連なるときには、隣接するガラスパネル体１２を相互に連結する役割を果たしている。
【００２１】
支柱１８の上側には、ガラス間仕切装置１０の上方幅方向に沿う笠木レール２０が配設され、支柱１８の下側には、ガラス間仕切装置１０の下方幅方向に沿う巾木レール２２が配設される。
【００２２】
ガラスパネル１４は、内側ガラス１４ａと外側ガラス１４ｂとがパネル面に垂直方向に重ね合わされた合わせガラスとなっており、両ガラス１４ａ、１４ｂは接着等によって一体化されている。内側ガラス１４ａの外縁は外側ガラス１４ｂの外縁よりもパネル面に沿った方向で外側に配置されて両者の間に段差部分１４ｃが形成されている。
【００２３】
ガラスパネル１４の外周に取り付けられるガラスフレーム１６は、ガラスパネル１４の４辺の端縁部を覆うものであり、それぞれ縦辺部分及び横辺部分に相当するそれぞれの部材の端部が、フレーム固定ブラケット１７（図４（ｂ））によって直角に連結されることにより、矩形状のフレームが構成されている。
【００２４】
そのガラスフレーム１６の横断面の詳細構造は、図５に示すように、断面コ字状をなしており、基部１６ａに対して、内側片部１６ｂと外側片部１６ｃとが、それぞれガラスパネル１４の側に向って伸びている。この基部１６ａ、内側片部１６ｂ及び外側片部１６ｃとで形成される中空部１６ｆがガラスパネル１４の端縁部を受ける部分となっている。内側片部１６ｂが支柱１８に固定される部分となり、外側片部１６ｃが外側に露出する部分となる。断面コ字状をなす内側片部１６ｂと外側片部１６ｃは、同じ長さではなく、外側片部１６ｃの方が内側片部１６ｂよりも短くなっている。
【００２５】
図４に示すように、ガラスフレーム１６の縦辺部分の内側片部１６ｂには、縦方向に適宜離間して複数の取付孔１６ｄが形成されており、該取付孔１６ｄを利用して、フック２４がガラスフレーム１６に一体に取り付けられる。
【００２６】
フック２４は内側片部１６ｂの内側に取り付けられる。図５に示すように、フック２４を固定するために、内側片部１６ｂの外側面の一部は引き込み部１６ｅとなっており、この引き込み部１６ｅ及び取付孔１６ｄにナット２６が挿入される。フック２４の基部に形成された取付孔２４ａと取付孔１６ｄを貫通して、ネジ２８がナット２６に螺合することで、フック２４が取り付けられるが（図５（ａ）、（ｂ））、引き込み部１６ｅによってネジ２８及びナット２６は中空部１６ｆで突出することはない。ナット２６の頭部は多角形（六角形）をなしており、引き込み部１６ｅに嵌合することで、ナット２６の回転は禁止されている。尚、フレーム固定ブラケット１７についても同様に、ガラスフレーム１６に取り付けられる。
【００２７】
図３に示したように、支柱１８の横断面も、横向きとなった断面コ字状を基本としており、両側にガラスパネル体１２がそれぞれ連結されるときには、断面コ字状の部分が左右対称に繋がった形状となっている。支柱１８の断面コ字状の外壁には、その外側の面にフック２４が挿入されるためのスリット１８ａが形成されている。また、支柱１８のコ字状の部分の中空部内には、その中空部を隠すべく(図６参照)、支柱カバー１９が挿入されている。
【００２８】
以上のように構成されるガラス間仕切装置１０においては、合わせガラスとなったガラスパネル１４の外周の端縁部に、ガラスフレーム１６が取り付けられる。詳細には、ガラスパネル１４の端縁部が、対応するガラスフレーム１６の縦辺部分または横辺部分の中空部１６ｆ内にガラスライナ１５を介して挿入される。このとき、ガラスフレーム１６の中空部１６ｆ内に挿入されるのは、厳密にはガラス面と平行な方向に外側に突出したガラスパネル１４の内側ガラス１４ａだけであり、即ち、パネル面に垂直な方向でガラスフレーム１６の内側片部１６ｂが、内側パネル１４ａの内側に配置され、ガラスフレーム１６の外側片部１６ｃが内側パネル１４ａの外側に配置され、該外側片部１６ｃの内周縁は、ガラスパネル１４の段差部分１４ｃに近接して配置され、外側パネル１４ｂの外面は、ガラスフレーム１６の外側片部１６ｃの外面よりも外側に配置される。尚、フック２４は、予めガラスフレーム１６に取り付けておくとよい。さらに、ガラスフレーム１６を構成する部分を、フレーム固定ブラケット１７によって連結することで、ガラスパネル体１２が組み立てられる。
【００２９】
このように組み立てられたガラスパネル体１２の左右のフック２４を一対の支柱１８のスリット１８ａに引っ掛けて、ガラスパネル体１２を支柱１８に支持させることにより、ガラス間仕切装置１０が構成される。同じ一対の支柱１８の後側に位置するスリット１８ａに別のガラスパネル体１２の左右のフック２４を引っ掛けることにより、ガラスパネル体１２を支柱１８の前後に配置することができ、その内部にはブラインドを内蔵させることもできるようになる。また、同じ支柱１８の左右反対側に別のガラスパネル体１２を連結させることにより、図１に示したように、ガラス間仕切装置１０が連続的に配置される。
【００３０】
以上のガラス間仕切装置１０は、ガラスフレーム１６に対してガラスパネル１４が面一よりもさらにパネル面に垂直方向で外側に配置されるために、ガラスフレーム１６を目立たせることなく、ガラスパネル１４を目立たせることができる。さらに、ガラスフレーム１６の外側片部１６ｃが内側片部１６ｂよりも小さくなっているために、その分、ガラスパネル１４の外側への露出面積を大きくすることができ、ガラスフレーム１６をさらに目立たないようにすることができる。よって、図１に示したように、ガラス間仕切装置１０が連続的に配置されたときにも、ガラスフレーム１６が目立たないために、ガラスパネル１４の連続性を出すことができて意匠的に優れたものとなる。
【００３１】
以上の実施形態においては、ガラスフレーム１６に対してガラスパネル１４が面一よりもさらにパネル面に垂直方向で外側に配置していたが、ガラスフレーム１６とガラス面を面一としても、ガラスフレーム１６がパネル面よりも垂直で外側に突出せずに配置しているために、ガラスフレーム１６を目立たなくさせることができる。
【００３２】
ガラスパネル１４は、合わせガラスで構成されているために、強度的に向上が図られている。
【００３３】
また、フック２４を支柱１８に引っ掛けるようにすることにより、地震等で支柱１８が歪んだ時であっても、互いに係止されるフック２４とスリット１８ａとは必ず遊びが存在するから、フック２４によって吸収されてガラスパネル１４に歪みが伝達されることを防止でき、ガラスの破損を防止することができる。仮にガラスが破損した場合であっても、ガラスの飛散を防止することができる。
【００３４】
フック２４によってガラスパネル体１２を支柱１８に着脱可能としているので、ガラスパネル体１２またはガラス間仕切装置１０内の清浄を簡単に行うことができ、また例えば、ガラス間仕切装置１０内にブラインドを配置した場合でも、ガラスパネル体１２を取り外して、ブラインドのメンテナンスを簡単に行うことができる。
【図面の簡単な説明】
【００３５】
【図１】本発明の実施形態にかかるガラス間仕切装置が複数の連なった状態の正面図である。
【図２】図１のガラス間仕切装置の縦断面図の２−２線に沿って見た断面図である。
【図３】図１のガラス間仕切装置の縦断面図の３−３線に沿って見た断面図である。
【図４】ガラスフレームの部分斜視図であり、（ａ）が外側から、（ｂ）が内側から見た図である。
【図５】ガラスフレームとフックとの取付手順を表すガラスフレームの横断面図である。
【図６】ガラス間仕切装置の部分斜視図である。
【図７】ガラスパネル体と支柱との取付状態を表す斜視図である。
【符号の説明】
【００３６】
１０  ガラス間仕切装置
１２  ガラスパネル体
１４  ガラスパネル
１４ａ  内側ガラス
１４ｂ  外側ガラス
１４ｃ  段差部分
１６  ガラスフレーム
１８  支柱
１８ａ  スリット(開口)
２４  フック
【図１】
2006177037.tif 000003
【図２】
2006177037.tif 000004
【図３】
2006177037.tif 000005
【図４】
2006177037.tif 000006
【図５】
2006177037.tif 000007
【図６】
2006177037.tif 000008
【図７】
2006177037.tif 000009